(57)【要約】【課題】  本発明は、複数種類のファンカバーから選択できる冷却ファンを提供する。【解決手段】  被服１に取り付けられて、外気４を被服１内部に取り入れるための冷却ファン５であって、冷却ファン５は、回転羽根２ｃとモータ２ｂを収容し被服１の内側に取り付けるファン本体２と、ファン本体２に着脱可能に固定され被服１の外側に取り付けるファンカバー３とを有して構成され、ファン本体２に設けられた雌ネジ２ａ１に対して着脱可能な共通の雄ネジ３ａ１を有する複数種類のファンカバー３から選択可能なことを特徴とする。【選択図】      図１
2020172899.tif 000002
【特許請求の範囲】
【請求項１】
被服に取り付けられて、外気を前記被服内部に取り入れるための冷却ファンであって、
前記冷却ファンは、回転羽根とモータを収容し前記被服の内側に取り付けるファン本体と、前記ファン本体に着脱可能に固定され前記被服の外側に取り付けるファンカバーとを有して構成され、
前記ファン本体に設けられた被装着部に対して着脱可能な共通の装着部を有する複数種類の前記ファンカバーから選択可能なことを特徴とする冷却ファン。
【請求項２】
前記ファンカバーは、前記回転羽根の回転軸方向に所定厚みを有し、少なくとも周側面に給気口を形成した他のファンカバーに換装可能であることを特徴とする請求項１に記載の冷却ファン。
【請求項３】
前記ファンカバーは、給気口を有する平板状であって、前記給気口には給気方向を下方に偏向する複数の鎧戸状格子を配置した他のファンカバーに換装可能であることを特徴とする請求項１に記載の冷却ファン。
【請求項４】
前記他のファンカバーは、耐熱性を有することを特徴とする請求項３に記載の冷却ファン。
【請求項５】
前記ファンカバーは、その表面に、前記ファン本体の成型色とは異なる装飾を施した他のファンカバーに換装可能であることを特徴とする請求項１に記載の冷却ファン。
【請求項６】
前記被装着部と前記装着部とは螺着係合しており、前記ファンカバーは、ストラップにより前記被服と係止可能であることを特徴とする請求項１に記載の冷却ファン。
【請求項７】
前記ファンカバーは、前記ストラップを通す係止穴を有し、前記ストラップの一端を被服に固定し、他端を前記係止穴に通過させた後、折り返して前記被服に固定することを特徴とする請求項６に記載の冷却ファン。
【請求項８】
前記係止穴は、前記ファンカバーの周方向に沿って複数設けられたことを特徴とする請求項７に記載の冷却ファン。
【発明の詳細な説明】
【技術分野】
【０００１】
本発明は、被服に取り付けられて、外気を被服内部に取り入れるための冷却ファンに関するものである。
【背景技術】
【０００２】
従来、被服に取り付けられて、外気を被服内部に取り入れるための冷却ファンがある。冷却ファンは、回転羽根とモータを収容し被服の内側に取り付けるファン本体と、ファン本体に固定され被服の外側に取り付けるファンカバーとを有して構成されるものがある。特許文献１は、被服を貫通して設けた開口の周縁部を環状補強材で補強し、ファン本体に設けられた雄ネジ部を環状補強材の穴に挿通し、ファンカバーである係合リングの雌ネジ部をファン本体の雄ネジ部に螺合締結して冷却ファンを被服に着脱可能に設けたものである。
【０００３】
また、雨天の作業では、冷却ファンを設けた被服の外側に雨合羽を着用する場合があり、ファンカバーの給気口から吸気すると、被服と雨合羽との隙間が負圧となって雨合羽がファンカバーの給気口を塞いでしまうという課題があった。特許文献２では、被服の外側に取り付けられるファンカバーは、回転羽根の回転軸方向に所定厚みを有し、少なくとも周側面に給気口が設けられている。
【０００４】
また、ファン本体とファンカバーとを着脱可能に構成した場合に、作業中に被服の外側に取り付けられるファンカバーが不用意に落下しないようにする必要があった。特許文献３では、ファンカバーが被服との間でファスナーにより着脱可能に設けられ、ファンカバーは、被服に設けられた可撓性を有する延出片により係止可能に設けられている。特許文献４では、ファン本体に設けられた係合アームが上着に設けられたファン保持ベルトに係合可能に設けられ、送風装置が上着から脱落するのを防止すると共に、送風装置が上着に対して回転するのを規制している。
【０００５】
また、身体を防護するため皮膚を露出させない溶接作業や切断作業などの現場において、ファン付被服が使われるが、これら作業中にトーチから飛び散るスパッタが、ファンの給気口から給気する空気とともに被服内部に飛び込む場合があり、この危険性を減ずる必要があった。
【先行技術文献】
【特許文献】
【０００６】
【特許文献１】特開２０１８−１５９１６０号公報
【特許文献２】特開２０１６−２１１３９０号公報
【特許文献３】特開２０１６−１５６３６９号公報
【特許文献４】特開２０１８−１１５６４６号公報
【発明の概要】
【発明が解決しようとする課題】
【０００７】
しかしながら、作業の用途やデザインの趣向に応じてファンカバーを取り替えたいといった要望があり、特許文献１では、複数種類のファンカバーから選択できるものではなかった。また、特許文献２では、ファン本体とファンカバーとが着脱可能に構成されていないため複数種類のファンカバーから選択できるものではなかった。また、特許文献３では、ファンカバーが被服との間でファスナーにより着脱可能に設けられているものの複数種類のファンカバーから選択できるものではなかった。また、特許文献４では、ファン本体とファンカバーとが着脱可能に構成されていないため複数種類のファンカバーから選択できるものではなかった。
【０００８】
本発明は前記課題を解決するものであり、その目的とするところは、複数種類のファンカバーから選択できる冷却ファンを提供するものである。
【課題を解決するための手段】
【０００９】
前記目的を達成するための本発明に係る冷却ファンの代表的な構成は、被服に取り付けられて、外気を前記被服内部に取り入れるための冷却ファンであって、前記冷却ファンは、回転羽根とモータを収容し前記被服の内側に取り付けるファン本体と、前記ファン本体に着脱可能に固定され前記被服の外側に取り付けるファンカバーとを有して構成され、前記ファン本体に設けられた被装着部に対して着脱可能な共通の装着部を有する複数種類の前記ファンカバーから選択可能なことを特徴とする。
【発明の効果】
【００１０】
本発明によれば、複数種類のファンカバーから選択できる。
【図面の簡単な説明】
【００１１】
【図１】（ａ），（ｂ）は、本発明に係る冷却ファンを備えた被服の構成を示す斜視図、（ｃ）は、ファンカバーにより被服と雨合羽との間に空間が確保され、ファンカバーの周側面の給気口から外気を吸気する様子を示す図である。
【図２】（ａ）は、被服を貫通して設けた開口の周縁部を環状補強材で補強し、ファンカバーに設けられた雄ネジ部を環状補強材の穴に挿通し、ファンカバーに設けられた雄ネジ部をファン本体に設けられた雌ネジ部に螺合締結して冷却ファンを被服に取り付ける様子を示す斜視図である。（ｂ）は、一端が被服に設けられたストラップによりファンカバーを係止する様子を示す図である。
【図３】（ａ）は、給気口に複数の鎧戸状格子を配置したファンカバーの構成を示す平面図である。（ｂ）は、給気口に複数の鎧戸状格子を配置したファンカバーの構成を示す側面図である。（ｃ）は、（ａ）のＡ−Ａ断面図である。
【図４】（ａ）及び（ｂ）は、それぞれファン本体の成型色とは異なる装飾を施したファンカバーの構成を示す側面図及び平面図である。（ｃ）及び（ｄ）は、模様を付したファンカバーの構成を示す平面図である。
【発明を実施するための形態】
【００１２】
図により本発明に係る冷却ファンの一実施形態を具体的に説明する。
【００１３】
図１〜図４に示す冷却ファン５は、被服１に取り付けられて、外気４を被服１の内部に取り入れるための冷却ファン５である。冷却ファン５は、回転羽根２ｃとモータ２ｂを収容し被服１の内側に取り付けるファン本体２と、ファン本体２に着脱可能に固定され被服１の外側に取り付けるファンカバー３とを有して構成される。ファン本体２と、ファンカバー３には、ファン本体２の内部で回転する回転羽根２ｃをカバーするために、それぞれ保護ガード２ｅ，３ｄが形成されている。
【００１４】
冷却ファン５は、図２〜図４に示すように、ファン本体２に設けられた被装着部としての雌ネジ２ａ１に対して着脱可能な共通の装着部としての雄ネジ３ａ１を有する複数種類のファンカバー３から選択可能に構成される。
＜被装着部＞
ファン本体２に設けられた被装着部は、筒状部２ａと、筒状部２ａの内周面に形成された雌ネジ２ａ１と、筒状部２ａの一端部に設けられたフランジ２ｄとを有して構成されている。
＜共通の装着部＞
各種のファンカバー３に設けられた共通の装着部は、ファン本体２の筒状部２ａの内部に嵌合される嵌合部としての筒状部３ａと、筒状部３ａの外周面に形成され、ファン本体２の筒状部２ａの内周面に形成された雌ネジ２ａ１と螺合し得る雄ネジ３ａ１と、ファン本体２の筒状部２ａの一端部に設けられたフランジ２ｄに対面してフランジ２ｄとの間で被服１に設けられた環状補強材６を挟持し得る筒状部３ａの一端部に設けられたフランジ３ｂとを有して構成されている。
【００１５】
冷却ファン５を被服１に取り付ける際には、図２に示すように、被服１を貫通して設けた開口１ａの周縁部にポリエステル、ナイロン等の熱可塑性を有する化学繊維製の環状補強材６を縫製して補強する。図２の符号１ｂは、環状補強材６を被服１に縫製した縫製線である。
【００１６】
そして、ファンカバー３の筒状部３ａの外周面に形成された雄ネジ３ａ１を環状補強材６の穴６ａに挿通し、ファンカバー３に設けられた雄ネジ３ａ１をファン本体２の筒状部２ａの内周面に形成された雌ネジ２ａ１に螺合締結して冷却ファン５を被服１に取り付ける。このとき、ファンカバー３の筒状部３ａの一端部に設けられたフランジ３ｂと、ファン本体２の筒状部２ａの一端部に設けられたフランジ２ｄとにより被服１に縫製された環状補強材６を挟持する。
【００１７】
フランジ３ｂの外周端部には、フランジ３ｂの周方向に沿って複数の凹部３ｅが所定ピッチで設けられており、凹部３ｅに指を掛けてフランジ３ｂを回すことでファンカバー３をファン本体２に対して容易に螺合締結することができる。また、ファン本体２の筒状部２ａの外周面にも筒状部２ａの周方向に沿って複数の凹部２ｆが所定ピッチで設けられており、凹部２ｆに指を掛けて筒状部２ａを回すことでファンカバー３をファン本体２に対して容易に螺合締結することができる。
【００１８】
図１（ｂ）に示すように、ファン本体２を被服１の内側に配置することで、ファン本体２の損傷を少なくでき、かつ回転羽根２ｃやモータ２ｂを内蔵して所定の高さを有するファン本体２は被服１と装着者の身体７との間に空間８を形成して、冷却ファン５により被服１内に取り込んだ外気４の通気を容易にする。
【００１９】
図１及び図２に示すファンカバー３は、回転羽根２ｃの回転軸２ｃ１方向に所定の厚みを有する。被服１の外側の表面から突出するファンカバー３の突出幅Ｔは、１５ｍｍ以上が好ましい。被服１の外側の表面から突出するファンカバー３の少なくとも周側面には、給気口９が形成されている。
【００２０】
図１（ｃ）に示すように、装着者が冷却ファン５を備えた被服１を装着し、さらにその上から雨合羽１０などを羽織ったとき、被服１の外側の表面から突出するファンカバー３の所定厚み（突出幅Ｔ）が被服１と雨合羽１０等との間に空間１１を作りファンカバー３の周側面に開口した給気口９から外気４を取り込むことができる。
【００２１】
ファン本体２の筒状部２ａの内周面に形成された被装着部としての雌ネジ２ａ１と、ファンカバー３の筒状部３ａの外周面に形成された装着部としての雄ネジ３ａ１とは螺着係合している。図２（ａ），（ｂ）に示すように、ファンカバー３のフランジ３ｂには、ファンカバー３の周方向に沿って複数の係止穴３ｃが所定ピッチで設けられている。本実施形態の係止穴３ｃは、同心円上に所定の長さの係止穴３ｃが所定のピッチで６個配置されている。
【００２２】
図２（ａ），（ｂ）に示すように、ファンカバー３は、一端が被服１に縫製された帯体からなるストラップ１２により被服１と係止可能に構成される。ファンカバー３のフランジ３ｂには、ストラップ１２を通す係止穴３ｃが設けられている。ストラップ１２の一端を被服１に固定し、ストラップ１２の他端をファンカバー３のフランジ３ｂに設けられた貫通穴からなる係止穴３ｃに通過させた後、ストラップ１２を折り返して、ストラップ１２の他端部に設けられたボタンホール１２ａを被服１に設けられたボタン１３に固定する。
【００２３】
ファンカバー３の周方向に沿ってフランジ３ｂに複数の係止穴３ｃを設けたことで、ファン本体２の雌ネジ２ａ１と、ファンカバー３の雄ネジ３ａ１とを螺合締結した際にファンカバー３がどの回転位置で固定されてもストラップ１２に近い係止穴３ｃを利用してファンカバー３を係止することができる。
【００２４】
被服１に固定したストラップ１２がファンカバー３の回転を防止し、ファンカバー３の雄ネジ３ａ１とファン本体２の雌ネジ２ａ１との螺着係合の緩みを防止することができる。特に、装着者が高所で作業する場合に、仮にファンカバー３とファン本体２との螺着係合が解除されても、ファンカバー３の落下事故を防止することができる。
【００２５】
尚、ストラップ１２の係止方法は、これに限定されるものではなく、ストラップ１２の他端部に設けられたスナップを被服１に設けられたスナップに係止することでも良いし、ストラップ１２の他端部に設けられたフックを被服１に設けられたフック掛けに係止することでも良い。
【００２６】
図３（ａ）〜（ｃ）に示すファンカバー３は、給気口２１を有する平板状であって、給気口２１には、給気方向を下方に偏向する複数の鎧戸状格子２２が同じ傾斜角度で並んで配置されている。各鎧戸状格子２２の中央部はリブ３ｆにより補強されている。リブ３ｆを設けたことで、隣設される鎧戸状格子２２の間に形成された給気口２１から異物が吸引されることを防止することができる。
【００２７】
ファンカバー３の筒状部３ａの外周面に形成された雄ネジ３ａ１は、図２（ａ）に示すファン本体２の筒状部２ａの内周面に形成された被装着部としての雌ネジ２ａ１に対して螺合により着脱可能な共通の装着部として構成されている。
【００２８】
また、ファンカバー３の筒状部３ａの端部に設けられたフランジ３ｂと、ファン本体２の筒状部２ａの端部に設けられたフランジ２ｄとにより被服１に縫製された環状補強材６を挟持する。被服を着用する際、冷却ファン５の高さよりも上の位置で火花やスパッタが生じる場合は、火花やスパッタが生じていない方向から外気４を取り込むように、ファンカバー３の鎧戸状格子２２を下向きに開放するように配置するとよい。ファンカバー３の鎧戸状格子２２を下向きに配置する場合には、ファンカバー３の筒状部３ａの外周面に形成された雄ネジ３ａ１と、ファン本体２の筒状部２ａの内周面に形成された雌ネジ２ａ１とを完全に締結してしまう直前にファンカバー３の鎧戸状格子２２を下向きに配置した状態でファン本体２を回転させて雄ネジ３ａ１と、雌ネジ２ａ１とを締結することでファンカバー３の鎧戸状格子２２を下向きに配置することが容易にできる。また、ファンカバー３のフランジ３ｂには、一端が被服１に縫製されたストラップ１２を通す複数の係止穴３ｃが設けられている。このため、複数から選択した係止穴３ｃにストラップ１２を挿通して被服１に係止すれば、ファンカバー３の回転が規制され、鎧戸状格子２２を任意の方向に固定することができる。
【００２９】
図３（ａ）〜（ｃ）に示すファンカバー３をファン本体２に装着して使用することで、装着者が溶接作業を行う際に、溶接時の火花やスパッタ等が飛び散っても鎧戸状格子２２により火花やスパッタ等が給気口２１から被服１内に侵入することを防ぎ、装着者の火傷や被服１の焼損を防ぐことができる。
【００３０】
なお、ファンカバー３は、高温のスパッタが当たっても溶融しない、耐熱性樹脂によって成型することが望ましい。また、例えばアルミなどの金属で成型してもよい。このようにファンカバー３に耐熱性を持たせることで、溶接時の火花やスパッタ等にファンカバー３が曝されてもファンカバー３が損傷することが無くすることができる。
【００３１】
図４（ａ），（ｂ）に示すファンカバー３は、その表面全体に、ファン本体２の成型色とは異なる装飾３１ａを施したものである。ファンカバー３の筒状部３ａの外周面に形成された雄ネジ３ａ１は、図２（ａ）に示すファン本体２の筒状部２ａの内周面に形成された被装着部としての雌ネジ２ａ１に対して螺合により着脱可能な共通の装着部として構成されている。また、ファンカバー３の筒状部３ａの端部に設けられたフランジ３ｂと、ファン本体２の筒状部２ａの端部に設けられたフランジ２ｄとにより被服１に縫製された環状補強材６を挟持する。
【００３２】
また、図４（ｃ）に示すように、ファンカバー３の表面全体に、模様状の装飾３１ｂを施すこともでき、また、図４（ｄ）に示すようにファンカバー３の一部に円環ライン状の模様３１ｃを施すこともできる。
【００３３】
本実施形態のファンカバー３は、被服１の外側に取り付けているため、多様な装飾のファンカバー３を被服１の外側からファン本体２に対して容易に着脱することができる。
【００３４】
オプションとして被服１の外面に現れるファンカバー３に装飾性を持たせることで、被服１にファッション性を与えることができる。すなわち、作業の用途や装着者の嗜好に応じてファンカバー３の性能や色や各種のデザインを施した複数種類のファンカバー３から選択可能とすることで、作業の用途やデザインの趣向に応じてファンカバー３を取り替えたいといった要望に応えることができる。
【００３５】
以上説明したように、本実施形態の冷却ファンによれば、作業環境や作業用途、さらには嗜好に応じて、簡単に複数種類のファンカバー３から選択して、他のファンカバーに換装することができ、作業性やファッション性に富む冷却ファンを提供することができる。
【００３６】
尚、ファン本体２に設けられた被装着部として、筒状部２ａの内周面に形成された雌ネジ２ａ１とし、ファンカバー３の共通の装着部として、筒状部３ａの外周面に形成された雄ネジ３ａ１とした場合の一例について説明したが、ファン本体２に設けられた被装着部として、筒状部の外周面に形成された雄ネジとし、ファンカバー３の共通の装着部として、筒状部の内周面に形成された雌ネジとしても良い。この場合、ファン本体２の筒状部の外周面に形成された雄ネジは、フランジ２ｄから突出しており、ファンカバー３の筒状部の内部に嵌合されて筒状部の内周面に形成された雌ネジと螺合する。
【産業上の利用可能性】
【００３７】
本発明の活用例として、被服に取り付けられて、外気を被服内部に取り入れるための冷却ファンに適用できる。
【符号の説明】
【００３８】
Ｔ…被服１の外側の表面から突出するファンカバー３の突出幅
１…被服
１ａ…開口
１ｂ…縫製線
２…ファン本体
２ａ…筒状部
２ａ１…雌ネジ（被装着部）
２ｂ…モータ
２ｃａ…回転羽根
２ｃ１…回転軸
２ｄ…フランジ
２ｅ…保護ガード
２ｆ…凹部
３…ファンカバー
３ａ…筒状部
３ａ１…雄ネジ（装着部）
３ｂ…フランジ
３ｃ…係止穴
３ｄ…保護ガード
３ｅ…凹部
３ｆ…リブ
４…外気
５…冷却ファン
６…環状補強材
６ａ…穴
６ｂ…縫製線
７…身体
８…空間
９…給気口
１０…雨合羽
１１…空間
１２…ストラップ
１２ａ…ボタンホール
１３…ボタン
２１…給気口
２２…鎧戸状格子
３１…装飾
【図１】
2020172899.tif 000003
【図２】
2020172899.tif 000004
【図３】
2020172899.tif 000005
【図４】
2020172899.tif 000006